(57)【要約】本出願は、生体測定データに基づく１つ以上の添加物を含む個人向けスポーツドリンクを提供するための飲料分配システムを提供する。飲料分配システムには、生体測定データの入力セクション、生体測定データを分析し、分析に基づく個人向けスポーツドリンク用のレシピを提供する分析セクション、及び個人向けスポーツドリンクを分配するための飲料ディスペンサを含み得る。飲料ディスペンサは、内部に１つ以上の添加物を含む複数のカートリッジを含んでもよい。【選択図】図１
2020531373.tif 000002
【特許請求の範囲】
【請求項１】
生体測定データに基づく１つ以上の添加物を含む個人向けスポーツドリンクを提供するための飲料分配システムであって、
前記生体測定データの入力セクションと、
前記生体測定データを分析し、前記分析に基づく前記個人向けスポーツドリンク用のレシピを提供するための分析セクションと、
前記個人向けスポーツドリンクを分配するための飲料ディスペンサと、を備え、
前記飲料ディスペンサが、内部に１つ以上の添加物を含む複数のカートリッジを備える、飲料分配システム。
【請求項２】
前記入力セクションが複数のセンサを備える、請求項１に記載の飲料分配システム。
【請求項３】
前記複数のセンサがスケールを備える、請求項２に記載の飲料分配システム。
【請求項４】
前記複数のセンサが、生体インピーダンスセンサを備える、請求項２に記載の飲料分配システム。
【請求項５】
前記複数のセンサが、ウェアラブルセンサを備える、請求項２に記載の飲料分配システム。
【請求項６】
前記入力セクションが、入力グラフィカルユーザインターフェースを備える、請求項１に記載の飲料分配システム。
【請求項７】
前記分析セクションが、プロセッサ及び１つ以上のデータベースを備える、請求項１に記載の飲料分配システム。
【請求項８】
前記１つ以上のデータベースが、前記個人向けスポーツドリンクの前記レシピを決定するための１つ以上のアルゴリズムを含む、請求項７に記載の飲料分配システム。
【請求項９】
前記複数のカートリッジ内の前記１つ以上の添加物が電解質を含む、請求項１に記載の飲料分配システム。
【請求項１０】
前記複数のカートリッジ内の前記１つ以上の添加物がタンパク質を含む、請求項１に記載の飲料分配システム。
【請求項１１】
前記飲料ディスペンサが、ディスペンサグラフィカルユーザインターフェースを備える、請求項１に記載の飲料分配システム。
【請求項１２】
前記ディスペンサグラフィカルユーザインターフェースが、複数のブランド選択アイコンを含む、請求項１１に記載の飲料分配システム。
【請求項１３】
前記ディスペンサグラフィカルユーザインターフェースが、複数の個人向けスケールを含む、請求項１１に記載の飲料分配システム。
【請求項１４】
前記複数の個人向けスケールが、炭水化物のレベル、強度のレベル、甘味のレベル、及び／又は１つ以上の添加物をユーザが変えることを可能にする、請求項１３に記載の飲料分配システム。
【請求項１５】
１つ以上の添加物を含む個人向けスポーツドリンクを提供するための飲料ディスペンサであって、
内部に前記１つ以上の添加物を含む複数のカートリッジと、
ディスペンサグラフィカルユーザインターフェースと、を備え、
前記ディスペンサグラフィカルユーザインターフェースが、炭水化物のレベル、強度のレベル、甘味のレベル、及び／又は１つ以上の添加物をユーザが変えることを可能にする複数の個人向けスケールを含む、飲料ディスペンサ。
【発明の詳細な説明】
【技術分野】
【０００１】
技術分野
本出願及び結果として得られる特許は、一般的に飲料分配システムに関し、より詳細には、生体測定及び他のタイプのデータを使用して、アスリート及び他のタイプの消費者に対する個人向け水分補給溶液を含むスポーツドリンクを提供する飲料分配システムに関する。
【背景技術】
【０００２】
発明の背景
ジョージア州アトランタのコカ・コーラ社が提供する「POWERADE（登録商標）」スポーツドリンクなどのスポーツドリンクは、適切な水分補給を優れた風味で提供することで消費者に人気がある。スポーツドリンクは、非アスリート及びアスリートに、同様にカジュアルなアスリートからプロのアスリートまでに好まれ得る。特に、高校、大学、及びプロのスポーツチームは、適切なアスリートの水分補給を維持することにかなりの重点を置いている。スポーツドリンクには通常、発汗中に失われる電解質が含まれ得る。例えば、「POWERADE ION4（登録商標）」スポーツドリンクは、ナトリウム、カリウム、マグネシウム、及びカルシウムなどの電解質を提供できる。
【０００３】
トレーナーなどは、アスリートの生体測定データ及び栄養摂取量を観察して、最高のパフォーマンスを増進することができる。このデータには、体重、水分補給レベル、心拍数、水分摂取量、炭水化物摂取量、タンパク質摂取量、サプリメント摂取量、ナトリウム摂取量、血圧、消費及び意図される運動、体温、血中酸素レベル、及び他のメトリクスが含まれ得る。従って、トレーナーは、特定のアスリート又は特定のタイプのアスリート向けに、所与のタイプのスポーツドリンクをいくつかの添加物で調整しようとする場合がある。しかしながら、複数のアスリート向けにそのような添加物をミックスすることは、特に試合中又は練習場で時間を消費するプロセスになり得る。
【発明の概要】
【課題を解決するための手段】
【０００４】
発明の概要
従って、本出願及び結果として得られる特許は、生体測定データに基づく１つ以上の添加物を含む個人向けスポーツドリンクを提供するための飲料分配システムを提供する。飲料分配システムには、生体測定データの入力セクション、生体測定データを分析し、分析に基づく個人向けスポーツドリンク用のレシピを提供する分析セクション、及び個人向けスポーツドリンクを分配するための飲料ディスペンサを含み得る。飲料ディスペンサは、内部に１つ以上の添加物を含む複数のカートリッジを含んでもよい。
【０００５】
本出願及び結果として得られる特許は、１つ以上の添加物を含む個人向けスポーツドリンクを提供するための飲料ディスペンサを更に提供する。飲料ディスペンサは、内部に１つ以上の添加物を含む複数のカートリッジと、ディスペンサグラフィカルユーザインターフェースと、を含み得る。ディスペンサグラフィカルユーザインターフェースは、炭水化物のレベル、強度のレベル、甘味のレベル、及び／又は内部の１つ以上の添加物をユーザが変えることを可能にするように、複数の個人向けスケールを含んでもよい。
【０００６】
本出願及び結果として得られる特許のこれら及び他の特徴及び改良は、いくつかの図面及び添付の特許請求の範囲と併せて解釈して以下の詳細な説明を検討すると、当業者に明らかになるであろう。
【図面の簡単な説明】
【０００７】
図面の簡単な説明
【図１】図１は、本明細書で説明され得る飲料分配システムの一例の斜視図である。
【図２】図２は、図１の飲料分配システムの機能の概略図である。
【図３】図３は、図１の飲料分配システムと共に使用され得る飲料ディスペンサの斜視図である。
【図４】図４は、図３の飲料ディスペンサの内部構成要素の斜視図である。
【図５】図５は、図３の飲料ディスペンサ上で使用されるグラフィカルユーザインターフェースの斜視図である。
【発明を実施するための形態】
【０００８】
詳細な説明
ここで、いくつかの図を通して同様の数字が同様の要素を指す図面を参照すると、図１及び図２は、本明細書で説明され得る飲料分配システム１００の一例を示す。飲料分配システム１００は、多くの異なるタイプの飲料、他のタイプの液体、及び／又は他のタイプの製品だけでなく、個人向けスポーツドリンクを分配することもできる。一般的に説明すると、飲料分配システム１００は、３つの主要セクション、すなわち、入力セクション１１０、分析セクション１２０、及び飲料ディスペンサ１３０を含み得る。本明細書では、他のセクション及び他のタイプの機能が使用されてもよい。
【０００９】
入力セクション１１０は、多くのタイプの生体測定及び他のタイプのデータを受信してもよい。上述のように、この生体測定データには、体重、水分補給レベル、心拍数、水分摂取量、炭水化物摂取量、タンパク質摂取量、サプリメント摂取量、ナトリウム摂取量、血圧、摂取及び意図される運動、体温、血中酸素レベル、及び他のメトリクスが含まれ得る。このデータは、体重計１４０、異なるタイプのセンサ１５０、又はタッチスクリーンなどの入力グラフィカルユーザインターフェース１６０上の直接入力から収集されてもよい。センサ１５０は、例えば、生体インピーダンスセンサ、分光計、汗又は他のタイプのスマートパッチ、加速度計や歩数計やＧＰＳなどのウェアラブルデバイス、並びにユーザの活動及び／又は身体状態を検出する任意のデバイスを含み得る。他のセンサ１４０は、時間、温度、天気、場所、トレーニングのタイプなどのローカルな条件用に使用されてもよい。任意の数のセンサ１５０又は他のタイプの入力ソースからの入力が、一緒に使用されてもよい。センサ１５０はまた、トレーニング機器、ユニフォーム、飲料ボトルなどに組み込まれてもよい。本明細書では、任意のソースからの任意のタイプのデータを使用することができる。ユーザは、名前、プレーヤ番号、又は任意のタイプの識別子によって個別に識別できる。識別は、ユーザ入力、コード、ＲＦＩＤ、Bluetooth、スマートフォン、又は任意の従来の方法によって行うことができる。入力グラフィカルユーザインターフェース１６０により、個別の好みを提供するだけでなく、データを入力し、及び／又は任意の数の異なる飲料若しくは製品のブランド、タイプ、及び／又は調合をユーザが選択することも可能にし得る。本明細書では、他の構成要素及び他の構成を使用することができる。
【００１０】
分析セクション１２０は、１つ以上のデータベース１８０又は他のタイプのメモリに結合されたコントローラ又はプロセッサ１７０を含んでもよい。プロセッサ１７０は、任意のタイプのプログラマブルロジックデバイスであってもよい。プロセッサ１７０は、ローカルでもリモートでもよい。本明細書では、複数のプロセッサ１７０を使用することができる。プロセッサ１７０は、データベース１８０に保存されたコンピュータ実行可能プログラム命令を実行してもよい。コンピュータ実行可能プログラム命令は、飲料分配システム１００を動作させるのに必要な任意の数のモジュールアプリケーションプログラムを含んでもよい。具体的には、データベース１８０は、コード命令、情報構造などを含んでもよい。そのような命令及び情報構造は、本明細書で説明する機能を実施するために利用できる機械学習技術（例えば、パターン認識アルゴリズム、推論アルゴリズム、三角測量又は場所推定アルゴリズム、時間的アルゴリズムなど）を具現化又は構成してもよい。
【００１１】
この例では、分析セクション１２０は、プレーヤデータデータベース１９０及び消費データベース２００を含んでもよい。入力セクション１１０からのプレーヤデータは、個別の識別が取り除かれて、特定の水分補給の必要性を決定するための水分補給アルゴリズムを介して消費データベース２００で比較されてもよい。全体的な精度を向上させるために、スマート学習技術が経時的に使用されてもよい。消費データベース２００で決定された特定の水分補給の必要性は、プレーヤデータベース１９０に戻され、そこでミックスアルゴリズムを介して比較されて、適切なスポーツドリンクミックス又はレシピを決定され得る。具体的には、飲料のタイプ、並びに炭水化物、甘味料、電解質、タンパク質、サプリメントなどのレベルを決定することができる。特定の成分は、パフォーマンスを延長するために時間的にリリースされ得る。飲料の温度も決定できる。本明細書では、他のタイプのアルゴリズム及び他のタイプの出力が使用されてもよい。出力グラフィカルユーザインターフェース２１０を使用して、レシピ、成分、成分量、カロリーなどを表示してもよい。ログ２２０はまた、プレーヤデータ、飲用日、パフォーマンスデータなどの履歴と共に使用されてもよい。本明細書では、他の構成要素及び他の構成を使用することができる。
【００１２】
図３〜図５は、本明細書で説明する飲料分配システム１００で使用され得る飲料ディスペンサ１３０の一例を示している。飲料ディスペンサ１３０は、ジョージア州アトランタのコカ・コーラ社によって提供される「COCA-COLA FREESTYLE（登録商標）」冷蔵飲料分配ユニットであってもよい。一般的に説明すると、「COCA-COLA FREESTYLE（登録商標）」冷蔵飲料分配ユニットは、複数の高濃度の微量成分を、甘味料及び希釈液などの多量成分と組み合わせることによって飲料を作成する。微量成分及び他の添加物は、一般的に、飲料ディスペンサ自体内に配置されたカートリッジ２３０に保存される。従って、飲料ディスペンサ１００によって提供される飲料の数及びタイプは、その中に配置されるカートリッジ２３０の数及びタイプのみによって制限され得る。或いは、従来のバッグインボックスベースの飲料ディスペンサなども、本明細書で使用することができる。
【００１３】
飲料ディスペンサ１３０は、アクセスドア２５０を有する外側シェル２４０を含んでもよい。カートリッジ２３０及び他のタイプの飲料成分は、アクセスドア２５０を通して装填されてもよい。カートリッジ２３０はまた、微量成分に加えて、異なるタイプの添加物、甘味料、香味料、着色料などを含んでもよい。図４に示すように、カートリッジ２３０は、ナトリウム、カリウム、マグネシウム、及びカルシウムなどの電解質を含んでもよい。タンパク質、サプリメントなども使用できる。添加物は、一般的に、微量成分の形態であってもよい。外側シェル２４０は、１つ以上の分配ノズル２７０を有する分配領域２６０を画定してもよい。飲料ディスペンサ１３０、及びその構成要素は、任意の適切なサイズ、形状、又は構成を有してもよい。
【００１４】
飲料ディスペンサ１３０は、その上に配置されたディスペンサグラフィカルユーザインターフェース２８０を含んでもよい。ディスペンサグラフィカルユーザインターフェース２８０は、任意の数の異なる飲料又は製品のブランド、タイプ、及び／又は調合を消費者が選択することを可能にするように、タッチスクリーンなどを含むことができる。ディスペンサグラフィカルユーザインターフェース２８０は、一連の動的に生成されたメニュー及び／又は静的なメニューを消費者に提示してもよい。メニュー項目を選択することにより、飲料ディスペンサ１３０は、飲料を調合し分配することができる。ディスペンサグラフィカルユーザインターフェース２８０はまた、任意のタイプのグラフィックス、メッセージング、ビデオなどを表示してもよい。音もまた、ここに組み込むことができる。１つ以上の別個のディスプレイ画面、バナー画面なども使用することができる。注ぎボタン２９０などの異なるタイプの機械的及び／又は電気機械的プッシュボタンも使用できる。本明細書では、他の構成要素及び他の構成も使用することができる。
【００１５】
飲料ディスペンサ１３０は、入力セクション１１０及び分析セクション１２０と通信してもよい。具体的には、入力セクション１１０からのデータに基づいて分析セクション１２０で決定された個人向け飲料タイプ及び成分は、飲料ディスペンサ１３０に送られてそこから分配され得る。或いは、飲料ディスペンサ１３０によるアクセス用に、飲料のタイプ及び成分をリモート又はローカルに保存してもよい。更に、ユーザは、例えば、スマートフォン、Bluetooth、ＲＦＩＤなどを介して、飲料ディスペンサ１３０に飲料タイプ及び成分を提供してもよい。任意の従来の通信方法を使用して、選択された飲料タイプ及び成分を飲料ディスペンサ１３０に伝達することができる。本明細書では、他の構成要素及び他の構成を使用することができる。
【００１６】
或いは、ユーザは、ディスペンサグラフィカルユーザインターフェース２８０上で、飲料のタイプ及び他の飲料特性を直接選択してもよい。図５は、ディスペンサグラフィカルユーザインターフェース２８０の一例を示す。ディスペンサグラフィカルユーザインターフェース２８０は、複数のブランド選択アイコン３００を含んでもよい。この例では、ブランド選択アイコン３００には、「POWERADE ION4（登録商標）」スポーツドリンクの異なるフレーバが含まれている。示されるように、「マウンテンベリーブラスト」フレーバが選択されている。ディスペンサグラフィカルユーザインターフェース２８０はまた、複数の個人向け設定スケール３１０を有する。この例では、ユーザは、フル炭水化物とロー炭水化物の間で、フル強度とロー強度の間で、フル甘味とロー甘味の間で選択でき、及びブースト成分を追加するか否かを選択することができる（上記の例には、ナトリウム、カリウム、マグネシウム、及びカルシウムなどの電解質が含まれる）。本明細書では、他のタイプの成分及び強度も使用することができる。複数の注ぎアイコン３２０が使用できる。従って、ユーザは、自分のスポーツドリンクを思い通りにカスタマイズできる。本明細書では、他の構成要素及び他の構成を使用することができる。
【００１７】
このように、飲料分配システム１００は、個人向けスポーツドリンクをユーザに提供する。スポーツドリンクの性質は、ユーザの生体測定データ及び／又は個人の好みに基づいていてもよい。飲料分配システム１００は、ユーザの水分補給の必要性のリアルタイム分析のために生体測定データを使用し、それらのリアルタイム必要性に合わせたスポーツドリンクを生成することができる。そのようなリアルタイム分析及び生成は、ユーザに、改善された及び／又は維持された運動パフォーマンスを提供することができる。同様に、適切な水分補給を維持することにより、怪我やダウンタイムを回避することができる。
【００１８】
上記は、本出願及び結果として得られる特許の特定の実施形態のみに関することは明らかであろう。本明細書では、以下の特許請求の範囲及びその均等物によって定義される本発明の一般的な精神及び範囲から逸脱することなく、当業者によって多数の変更及び修正を行うことができる。
【図１】
2020531373.tif 000003
【図２】
2020531373.tif 000004
【図３】
2020531373.tif 000005
【図４】
2020531373.tif 000006
【図５】
2020531373.tif 000007
【国際調査報告】
2020531373.tif 000008
2020531373.tif 000009
2020531373.tif 000010